(57)【特許請求の範囲】
【請求項１】
表示装置に対して、該表示装置が有する表示画面上に任意の大きさの領域を指定し、入力パネル上の任意の位置を押圧手段により押圧して、前記表示装置に指定した領域内に表示させる画像を入力する入力装置において、
前記押圧手段が前記入力パネルの所定距離まで接近したことを検出する検出手段と、
該検出手段が前記押圧手段の接近を検出した場合に、前記押圧手段の位置を取得する取得手段と、
該取得手段が取得した位置を前記入力パネル上の位置に変換する変換手段と、
該変換手段が変換した前記入力パネル上の位置に対応する前記表示装置の表示画面上の位置を決定する位置決定手段と、
前記検出手段が前記押圧手段を検出し、該押圧手段が、前記入力パネルと非接触の状態で、前記入力パネルに沿って移動した場合に、前記押圧手段の移動範囲を算出する算出手段と、
該算出手段が算出した移動範囲に基づいて指定すべき領域の大きさを決定する範囲決定手段と、
前記位置決定手段が決定した位置及び前記範囲決定手段が決定した大きさに基づいて、前記表示装置の表示画面上に領域を指定する指定手段と、
該指定手段が領域を指定した後に、前記検出手段が前記押圧手段を検出した場合、前記表示画面に対する前記領域の表示サイズを順次拡大する拡大手段と、
前記所定距離まで前記入力パネルに接近した前記押圧手段が、前記入力パネルに対する離反方向に移動したことを検出する離反検出手段と、
該離反検出手段が前記押圧手段の離反を検出した場合、前記拡大手段による表示サイズの拡大を停止する停止手段と
を備えることを特徴とする入力装置。
【請求項２】
前記検出手段が前記押圧手段を検出し、該押圧手段が、前記入力パネルと非接触な状態で、前記入力パネルに沿って移動した場合に、前記押圧手段の移動パターンを算出するパターン算出手段と、
該パターン算出手段が算出した移動パターンが、所定パターンであるか否かを判定する判定手段と、
該判定手段が、前記移動パターンが前記所定パターンであると判定した場合、前記指定手段が指定した前記表示領域の指定を解除する解除手段と
をさらに備えることを特徴とする請求項１に記載の入力装置。
【請求項３】
前記検出手段が前記押圧手段を検出し、該押圧手段が、前記入力パネルと非接触な状態で、前記入力パネルに沿って移動した場合に、前記押圧手段の移動速度を算出する速度算出手段と、
該速度算出手段が算出した速度に基づいて、前記指定手段が指定した前記表示領域に表示される線種又は画像の色を決定する画像決定手段と
をさらに備えることを特徴とする請求項１又は２に記載の入力装置。
【請求項４】
表示装置に対して、該表示装置が有する表示画面上に任意の大きさの領域を指定し、入力パネル上の任意の位置が押圧手段により押圧されることで、前記表示装置に指定した領域内に表示させる画像が入力されるコンピュータ上で実行されるコンピュータプログラムにおいて、
前記コンピュータを、
前記入力パネルの所定距離まで接近した前記押圧手段の位置を取得する取得手段、
該取得手段が取得した位置を前記入力パネル上の位置に変換する変換手段、
該変換手段が変換した前記入力パネル上の位置に対応する前記表示装置の表示画面上の位置を決定する位置決定手段、
前記入力パネルと非接触の状態で、前記入力パネルに沿って移動する前記押圧手段の移動範囲を算出する算出手段、
該算出手段が算出した移動範囲に基づいて指定すべき領域の大きさを決定する範囲決定手段、
前記位置決定手段が決定した位置及び前記範囲決定手段が決定した大きさに基づいて、前記表示装置の表示画面上に領域を指定する指定手段、
該指定手段が領域を指定した後に、前記押圧手段が前記入力パネルの前記所定距離まで接近した状態である場合、前記表示画面に対する前記領域の表示サイズを順次拡大する拡大手段、及び
前記所定距離まで前記入力パネルに接近した前記押圧手段が、前記入力パネルに対する離反方向に移動した場合、前記拡大手段による表示サイズの拡大を停止する停止手段
として機能させることを特徴とするコンピュータプログラム。
【請求項５】
コンピュータを、
前記入力パネルと非接触な状態で、前記入力パネルに沿って移動する前記押圧手段の移動パターンを算出するパターン算出手段、
該パターン算出手段が算出した移動パターンが、所定パターンであるか否かを判定する判定手段、及び、
該判定手段が、前記移動パターンが前記所定パターンであると判定した場合、前記指定手段が指定した前記表示領域の指定を解除する解除手段
として機能させることを特徴とする請求項４に記載のコンピュータプログラム。
【請求項６】
コンピュータを、
前記入力パネルと非接触な状態で、前記入力パネルに沿って移動する前記押圧手段の移動速度を算出する速度算出手段、及び、
該速度算出手段が算出した速度に基づいて、前記指定手段が指定した前記表示領域に表示される線種又は画像の色を決定する画像決定手段
として機能させることを特徴とする請求項４又は５に記載のコンピュータプログラム。
【発明の詳細な説明】
【技術分野】
【０００１】
本発明は、入力パネルから入力した画像が表示される表示領域の位置を表示装置に指定させるための入力装置及びコンピュータプログラムに関する。
【背景技術】
【０００２】
コンピュータの画面上で文字又は図形等を描く機器として、キーボード又はマウス以外に、ペン及びペン用タブレットを組み合わせたものがある。ユーザがタブレット上でペンを移動させることで、ペンの動作に連動した文字又は図形等の画像が、表示画面上の特定の表示領域に表示される。これにより、ユーザは、タブレット上でペンを動かすことで、手書きの文字又は図形等の画像を、コンピュータの画面上に表示させることが可能となっている。文字又は図形等の画像を表示する表示領域は、拡大、縮小又は移動できるようにしてあることが一般的となっている。これにより、例えば、表示領域を画面上の見易い位置に移動し、又は、画面全体を見渡すために表示領域を小さくする等、ユーザに入力作業を効率よく行わせることができる。
【０００３】
特許文献１には、ユーザが煩雑な操作をすることなく、表示領域の拡大、縮小又は移動等の操作が可能な装置が開示されている。特許文献１に記載されている装置は、例えば、タブレットをペンでタッチして、タッチした位置に対応する表示画面上のウィンドウ（表示領域）を選択し、その選択が一定時間継続する操作又は選択を解除する操作等に、ウィンドウの拡大、縮小又は表示位置の変更等の動作を関連付けている。これにより、ユーザは、文字又は図形等の入力作業を、より効率よく行うことができるようになる。
【特許文献１】特開２００４−２４６７１８号公報
【発明の開示】
【発明が解決しようとする課題】
【０００４】
しかしながら、ユーザはペンによる入力作業を開始する際に表示領域を表示装置に指定しなければならず、特許文献１には、表示装置に表示領域を指定する方法については記載されていない。この指定方法としては、専用のアプリケーションソフトを使用することが一般的となっている。このような場合、例えば、アプリケーションソフトを立ち上げ、タブレット上のペンの移動に連動するように、タブレットの座標と表示画面の座標とを対応付け、ディスプレイ上に表示領域を指定し、アプリケーションソフトを終了する必要がある。そして、これらの指定操作は、マウス又はキーボードにより行われることが一般的であるため、ユーザにとって煩雑な作業となり、ペンによる入力作業をスムーズに開始することができないという問題がある。
【０００５】
本発明はかかる事情に鑑みてなされたものであり、本発明の目的は、入力パネルに接近させた押圧手段の位置を検出し、接近した位置を入力パネル上の位置に変換し、変換した入力パネル上の位置に基づく表示装置の表示画面上の位置に、表示領域を指定する構成とすることにより、ユーザに煩雑な作業を要求することなく、表示装置に表示領域を指定させることができる入力装置及びコンピュータプログラムを提供することにある。
【課題を解決するための手段】
【０００６】
本願は、下記を特徴とする入力装置、及びコンピュータを下記のように機能させることを特徴とするコンピュータプログラムである。押圧手段が、所定距離まで入力パネルに接近したことを検出する。押圧手段を検出した場合に、押圧手段の位置を取得し、取得した位置を入力パネル上の位置に変換する。変換した入力パネル上の位置に基づく表示装置の表示画面上の位置に、表示領域を指定する。入力パネルが押圧手段により押圧され入力された画像を、表示装置に指定した表示領域内に表示させる。
【０００７】
また、本願は、下記を特徴とする入力装置、及びコンピュータを下記のように機能させることを特徴とするコンピュータプログラムである。入力パネルに接近した押圧手段が、入力パネルに非接触で、入力パネルに沿って移動した場合に、押圧手段の移動範囲を算出し、算出した移動範囲に基づいて表示領域の大きさを決定する。決定した大きさの表示領域を指定する。
【０００８】
また、本願は、下記を特徴とする入力装置、及びコンピュータを下記のように機能させることを特徴とするコンピュータプログラムである。入力パネルに接近した押圧手段が、入力パネルに非接触で、入力パネルに沿って移動した場合に、押圧手段の移動パターンを算出し、算出した移動パターンが所定パターンである場合に、指定した表示領域の指定を解除する。
【０００９】
さらに、本願は、下記を特徴とする入力装置、及びコンピュータを下記のように機能させることを特徴とするコンピュータプログラムである。所定距離まで入力パネルに接近した押圧手段が入力パネルから離反したことを検出する。押圧手段の接近を検出してから、押圧手段の離反を検出するまでの間、表示装置に指定した表示領域を順次拡大させる。
【００１０】
また、本願は、下記を特徴とする入力装置、及びコンピュータを下記のように機能させることを特徴とするコンピュータプログラムである。入力パネルに接近した押圧手段が、入力パネルに非接触で、入力パネルに沿って移動した移動した場合に、押圧手段の移動速度を算出する。算出した速度に基づいて、指定した表示領域に表示させる画像の種類を決定する。
【発明の効果】
【００１１】
本願によれば、入力パネル上に押圧手段を接近させることにより、画像を表示する表示領域の表示画面上の位置を表示装置に指定させることができる。従って、ユーザは、入力パネルを目安にして表示領域を指定することができるため、表示画面上の所望の位置に表示領域を指定し易くなる。また、入力パネルの近傍で指定した後、そのまま入力パネルを押圧して画像を入力する作業に移ることができる。
【００１２】
本願によれば、入力パネルに接近させた押圧手段の移動範囲によって、表示領域の大きさを決定することができる。即ち、例えば、移動範囲が大きさと、表示領域の大きさとが比例する場合、ユーザは、押圧手段を大きく移動させるだけで、大きい表示領域を指定することができる。
【００１３】
本願によれば、入力パネルに接近させた押圧手段の移動パターンが所定パターンである場合に、表示領域の指定を解除することができる。これにより、表示領域の指定をやり直したい場合であっても、表示領域を指定する姿勢のまま、簡単に指定の解除を行うことができる。
【００１４】
本願によれば、入力パネルに押圧手段を接近させている時間に伴って、表示領域の大きさが順次大きくなるため、ユーザは、簡単に表示領域の大きさを大きくすることができる。
【００１５】
本願によれば、入力パネルに接近させた押圧手段の移動速度に基づいて、表示領域内に表示する画像の種類を決定できる。これにより、ユーザは、表示領域を指定すると同時に、入力画像に関する指定を行うことができる。例えば、押圧手段の押圧動作に応じて線画像を表示する場合、押圧手段を速く移動させて表示領域を指定すれば、細い線種の線画像とし、押圧手段を遅く移動させて表示領域を指定すれば、細い線種の線画像とすることができる。
【発明を実施するための最良の形態】
【００１６】
以下、本発明をその実施の形態を示す図面に基づいて詳述する。本実施の形態では、本発明の入力装置を、ノート型パーソナルコンピュータ（以下、単にパソコンと言う）に搭載した場合について説明する。
【００１７】
図１は、本発明の入力装置を搭載したパソコンの外観斜視図である。本実施の形態のパソコン１０は、ディスプレイ１５に表示される処理結果を目視しながら、キーボード１６により文字又はコマンド等を入力することができる一般的なノート型パソコンである。また、キーボード１６の近傍には、ディスプレイ１５の画面上のマウスポインタ（図示せず）を操作するタッチパッド（入力パネル）１７が設けられている。タッチパッド１７は、ユーザによりペン２０又はユーザの指等の押圧手段が表面を押圧されることでディスプレイ１５の画面上の位置を指定する、一般的なポインティングデバイスである。
【００１８】
本実施の形態のパソコン１０では、タッチパッド１７の表面がペン２０によりなぞられた場合、ペン２０の軌跡に連動した線画像を、ディスプレイ１５の画面上に指定された表示領域１５ａ内に表示することができる。例えば、ユーザがペン２０でタッチパッド１７上に文字「あ」を描いた場合、表示領域１５ａ内には、タッチパッド１７に描かれた文字「あ」と同形状の文字画像が表示される。
【００１９】
また、本実施の形態のパソコン１０では、ユーザが、タッチパッド１７と所定距離Ｌ（例えば１ｃｍ）を隔て、タッチパッド１７に平行に対向する領域（以下、離間領域と言う）Ｒにペン２０の先端を位置させた状態で、ペン２０を動かすことで、表示領域１５ａの操作を行うことができる。表示領域１５ａの操作とは、表示領域１５ａの表示位置及び表示サイズをディスプレイ１５に指定する操作、ディスプレイ１５に表示される表示領域１５ａを削除（解除）又は表示サイズを拡大する操作、及び表示領域１５ａ内に表示する線画像の種類を決定する操作である。
【００２０】
なお、図１において離間領域Ｒに表示される略円形状に描かれた線は、離間領域Ｒ上を動かしたペン２０の先端の軌跡を示すものであり、実際に表示されるものではない。
【００２１】
次に、パソコン１０の各構成について詳述する。図２は、図１のパソコン１０の構成を示す機能ブロック図である。
【００２２】
パソコン１０は、各種制御を行う、ＣＰＵ（Central Processing Unit）１１、ＲＯＭ（Read Only Memory）１２、及びＲＡＭ（Random Access Memory）１３を備えている。ＣＰＵ１１は、各種コマンドに従って演算処理を行う中央演算処理装置である。ＲＯＭ１２は、ＣＰＵ１１に図５の処理を実行させるプログラム、及び、プログラム実行中に使用される図３及び図４のデータテーブル等が格納されている不揮発性の読出し専用メモリである。ＲＡＭ１３は、ＣＰＵ１１がプログラムを実行する際に使用するデータを読出し又は書き込むための一時記憶用の揮発性メモリである。
【００２３】
ＣＰＵ１１には、図示しないデータバス又はインターフェース装置等を介して、記憶装置１４、ディスプレイ１５、キーボード１６、タッチパッド１７、及びペン検出部１８が接続されている。これら各機器は、ＣＰＵ１１に対してデータ又は制御信号等を入出力する。記憶装置１４は、ＣＰＵ１１がデータを読み出し又は書き込むための、例えばＨＤＤ（Hard Disk Drive）である。
【００２４】
タッチパッド１７は、上述したようにポインティングデバイスであって、シート状の静電式のセンサ（図示せず）を有しており、ペン２０がタッチパッド１７の表面を押圧した場合、押圧された位置（以下、押圧位置と言う）の静電容量が変化するように構成されている。また、タッチパッド１７は、押圧位置取得部１７ａを有しており、静電容量の変化を検出した場合、押圧位置取得部１７ａが、タッチパッド１７のどの位置が変化したかを特定し、特定した位置、即ち、押圧位置の座標データを取得する。取得された座標データは、ＣＰＵ１１に出力される。
【００２５】
ペン検出部１８は、タッチパッド１７の下方に設けられ、タッチパッド１７の所定距離Ｌまでペン２０が接近したことを検出し、ペン２０が、タッチパッド１７の表面のどの位置に接近したかを特定する。
【００２６】
ペン検出部１８は、特に図示しないが、タッチパッド１７と略同形状及び略同サイズで、タッチパッド１７に平行な基板上に、予め特定された複数の位置にコイルが配設された構成となっている。また、ペン２０は、先端に磁石２０ａを内蔵している。そして、ペン２０の先端がタッチパッド１７の所定距離Ｌに達した場合、ペン２０からの磁力により、接近したペン２０の近傍に位置するコイルの磁束（電圧）が変化するようになっている。また、ペン検出部１８は、接近位置取得部１８ａを有しており、コイルの電圧の変化を検出した場合、接近位置取得部１８ａが、基板上のどの位置のコイルが変化したかを特定し、特定した位置の座標データを取得する。
【００２７】
ペン検出部１８の基板及びタッチパッド１７は、互いに平行しているため、電圧が変化したコイルの位置が、基板のどの位置かを特定することで、ペン２０が接近したタッチパッド１７の表面の位置を特定することができる。取得された座標データは、ＣＰＵ１１に出力される。
【００２８】
なお、ペン２０の先端が離間領域Ｒに位置している限り、ペン２０近傍にあるペン検出部１８のコイルの電圧は変化し、座標データをＣＰＵ１１へ出力し続ける。従って、ペン２０が上方に移動し、離間領域Ｒから離反した場合、コイルの電圧の変化がなくなり、ペン検出部１８は、ＣＰＵ１１へ座標データを出力しなくなる。これにより、ＣＰＵ１１は、ペン２０が離間領域Ｒから離れたことを検出することができる。
【００２９】
以上のように構成されることで、ＣＰＵ１１は、押圧位置取得部１７ａ又は接近位置取得部１８ａから座標データが入力され、座標データに基づいて、各種処理を行う。例えば、ＣＰＵ１１は、接近位置取得部１８ａから入力された座標データに基づいて、離間領域Ｒにおけるペン２０の操作パターンを検出する。ペン２０の操作パターンとは、離間領域Ｒを移動したペン２０の先端の移動範囲、移動速度、及び移動パターンであり、操作パターンに従って、表示領域１５ａの操作が行われる。
【００３０】
なお、移動パターンは、ペン２０の先端が離間領域Ｒでどのように動かされたかを示すパターンであり、ディスプレイ１５に表示された表示領域１５ａの操作内容を決定する。図６は、ペン２０の移動パターンの一例を表す図であり、図６（ａ）は、表示領域１５ａを削除する場合の移動パターンを示す図である。また、図６（ｂ）は、表示領域１５ａの表示サイズを拡大する場合の移動パターンを示す図である。例えば、図６（ａ）に示すように、離間領域Ｒでペン２０の先端をランダムに動かした場合、ディスプレイ１５に表示される表示領域１５ａを削除する操作が行われる。また、図６（ｂ）に示すように、ペン２０の先端を離間領域Ｒの任意の一点付近で動かした場合、ディスプレイ１５に表示される表示領域１５ａの表示サイズを拡大する操作が行なわれる。
【００３１】
次に、ＲＯＭ１２に記憶されるデータテーブルについて説明する。ＲＯＭ１２に記憶されるデータテーブルは、ＣＰＵ１１がプログラムを実行する際に随時参照される。
【００３２】
図３は、座標データ変換テーブルを示す図である。図３のデータテーブルは、タッチパッド１７の座標データと、ディスプレイ１５の画面の座標データとが対応付けて格納されている。なお、タッチパッド１７の座標データとは、パソコン１０の幅方向、及びパソコン１０の奥行き方向における基準点からの距離である。また、ディスプレイ１５の座標データとは、画面の幅方向及び高さ方向における基準点からの距離である。このデータテーブルは、表示領域１５ａを指定する際に参照される。
【００３３】
タッチパッド１７の各位置とディスプレイ１５の画面の各位置とを対応付けることで、ユーザは、タッチパッド１７をディスプレイ１５の画面と想定することができ、ディスプレイ１５の所望の位置に表示領域１５ａを指定し易くなる。例えば、表示領域１５ａをディスプレイ１５の画面上の右上に表示させたい場合、ユーザは、タッチパッド１７の表面の右上にペン２０を接近させることで、表示領域１５ａを所望の位置に指定することができ、位置を指定し易くなる。
【００３４】
図４は、画像種決定テーブルを示す図である。図４のデータテーブルは、算出されたペン２０の移動速度と線種（線の太さ）とが対応付けて格納されており、表示領域１５ａ内に表示させる線種を決定する際に参照される。図４に示すように、ペン２０の移動速度が速くなるに伴い、線の太さが太くなっている。
【００３５】
次に、以上のように構成されたパソコン１０において、表示領域１５ａを操作する場合の処理動作について説明する。図５は、表示領域操作処理ルーチンのフローチャートである。表示領域１５ａの操作を行うプログラムを開始することで、ＣＰＵ１１は、図５の処理ルーチンを実行する。
【００３６】
ＣＰＵ１１は、まず、ペン２０がタッチパッド１７の所定距離Ｌまで接近したか否かを判定する（Ｓ１）。ペン２０が接近していなければ（Ｓ１：ＮＯ）、ＣＰＵ１１は、Ｓ１を繰り返し、待機する。ペン２０が接近した場合（Ｓ１：ＹＥＳ）、ＣＰＵ１１は、既に表示領域１５ａが指定されているか、即ち、ディスプレイ１５に表示領域１５ａが表示されているか否かを判定する（Ｓ２）。表示領域１５ａが既に指定されている場合（Ｓ２：ＹＥＳ）、ＣＰＵ１１は、表示領域１５ａの操作内容が、表示領域１５ａの削除、又は、表示サイズの変更であると判断し、離間領域Ｒにおけるペン２０の移動パターンを検出する（Ｓ３）。
【００３７】
次に、ＣＰＵ１１は、検出した移動パターンが、図６（ｂ）に示す、拡大パターンであるか否かを判定する（Ｓ４）。検出した移動パターンが拡大パターンである場合（Ｓ４：ＹＥＳ）、ＣＰＵ１１は、ディスプレイ１５に指定されている表示領域１５ａの表示サイズの拡大を開始する（Ｓ５）。続いて、ＣＰＵ１１は、ペン２０が離間領域Ｒから離反したか否かを判定する（Ｓ６）。ペン２０が離反していない場合（Ｓ６：ＮＯ）、ＣＰＵ１１は、Ｓ５に処理を戻し、表示領域１５ａの表示サイズの拡大を続行する。ペン２０が離反した場合（Ｓ６：ＹＥＳ）、表示領域１５ａの表示サイズの拡大を停止する（Ｓ７）。即ち、ペン２０を離反領域Ｒに位置させる時間に伴って、表示領域１５ａの表示サイズを大きくすることができる。その後、ＣＰＵ１１は、表示領域操作処理を終了する。
【００３８】
一方、Ｓ４において、検出した移動パターンが拡大パターンでない場合（Ｓ４：ＮＯ）、即ち、検出した移動パターンが、図６（ａ）に示す削除パターンである場合、ＣＰＵ１１は、指定されている表示領域１５ａを削除する（Ｓ８）。即ち、ディスプレイ１５の表示領域１５ａが非表示となり、表示領域１５ａを再度指定できる状態となる。その後、ＣＰＵ１１は、表示領域操作処理を終了する。
【００３９】
また、Ｓ２において、表示領域１５ａが指定されていない場合（Ｓ２：ＮＯ）、ＣＰＵ１１は、表示領域１５ａの操作内容が、表示領域１５ａの指定であると判断し、離間領域Ｒにけるペン２０の座標データに基づいて、ペン２０の移動範囲及び移動速度を検出する（Ｓ９）。なお、表示領域１５ａを指定する場合、ペン２０は、図１に示すように、円形を描くように描かれるものとする。そして、ペン２０の先端を離間領域Ｒで動かした後に、離間領域Ｒから離反することで、表示領域１５ａが指定されてもよいし、所定時間円形を描くことで、表示領域１５ａが指定されるようにしてもよい。
【００４０】
ＣＰＵ１１は、検出した移動範囲に基づいて、表示領域１５ａの表示サイズを決定すると共に、図３を参照し、ディスプレイ１５の画面上の位置を取得する（Ｓ１０）。具体的には、ＣＰＵ１１は、図１に示すように、ペン２０の移動範囲の中心座標データ（ｘ，ｙ）を取得する。そして、図３を参照し、その中心座標データ（ｘ，ｙ）に対応するディスプレイ１５の位置の座標データ（Ｘ，Ｙ）を取得する。また、ＣＰＵ１１は、ペン２０の移動範囲の幅ｓを取得し、移動範囲の幅ｓに対応するディスプレイ１５における幅Ｓを算出する。そして、ＣＰＵ１１は、ディスプレイ１５の位置（Ｘ，Ｙ）を中心に、幅Ｓを有する表示領域１５ａをディスプレイ１５に指定する（Ｓ１１）。
【００４１】
次に、ＣＰＵ１１は、移動速度に基づいて、図４を参照し、表示領域１５ａに表示させる線種を決定する（Ｓ１２）。なお、ペン２０の移動速度は、座標データからペン２０が移動した距離を算出し、その移動に要した時間から算出することができる。そして、ＣＰＵ１１は、表示領域操作処理を終了する。
【００４２】
なお、表示領域１５ａをディスプレイ１５に指定した後、タッチパッド１７により操作を行う操作対象を表示領域１５ａに設定するようにしてもよい。この場合、表示領域１５ａを指定し、そのまま、表示領域１５ａ内に表示させる画像を、タッチパッド１７により入力できるため、ユーザは、スムーズな作業を行うことができる。
【００４３】
以上説明したように、本実施の形態のパソコン１０は、タッチパッド１７の所定距離Ｌまでペン２０を接近させることで、接近させた位置に対応するディスプレイ１５の位置に、画像を表示させる表示領域１５ａを指定することができる。この場合において、タッチパッド１７とディスプレイ１５の画面とは、座標データが対応付けされているため、ユーザは、タッチパッド１７をディスプレイ１５の画面と想定し、表示領域１５ａの位置を指定することができる。従って、ユーザは、所望の位置に表示領域１５ａを指定し易くなる。
【００４４】
また、表示領域１５ａを指定する際に、ペン２０の移動速度に応じて、表示領域１５ａ内に表示させる線種を決定することができる。このため、ユーザは、表示領域１５ａを指定すると共に、線種の初期設定を行うことができる。なお、線種を決定する以外に、移動速度に応じて、画像の色を決定するようにしてもよい。
【００４５】
さらに、タッチパッド１７と所定距離Ｌを隔てた離間領域Ｒ上でペン２０を動かすことで、指定した表示領域１５ａを削除又は表示サイズの変更を行うことができる。これにより、ユーザは、簡単に表示領域１５ａの指定をやり直すことができる。
【００４６】
なお、本実施の形態では、本発明の入力装置をパソコン１０に搭載した場合について説明したが、入力装置がパソコンと独立したものであってもよい。例えば、入力装置が、テレビ等の表示装置に外部接続されるものであってもよい。また、タッチパッド１７を押圧する押圧手段として、磁石２０ａを内蔵したペン２０としているが、指であってもよいし、その他のものであってもよい。
【００４７】
さらに、本実施の形態では、ペン２０の先端が離間領域Ｒに位置していることを検出しているが、ペン２０の先端が厳密に離間領域Ｒに位置している必要はない。例えば、ペン２０の先端が離間領域Ｒとタッチパッド１７との間に位置していればよい。また、本実施の形態では、表示領域１５ａを指定する場合、表示位置及び表示サイズを指定しているが、予め設定されている表示サイズで、指定された表示位置に表示領域１５ａを指定するようにしてもよい。また、表示領域１５ａを縮小する操作が可能であってもよい。その他、表示領域１５ａの指定方法については、適宜変更可能である。
【００４８】
以上、本発明の好適な一実施の形態について、具体的に説明したが、各構成及び各処理動作等は適宜変更可能であって、上述の実施の形態に限定されることはない。
【図面の簡単な説明】
【００４９】
【図１】本発明の入力装置を搭載したパソコンの外観斜視図である。
【図２】図１に示すパソコンの構成を示す機能ブロック図である。
【図３】座標データ変換テーブルを示す図である。
【図４】画像種決定テーブルを示す図である。
【図５】表示領域操作処理ルーチンのフローチャートである。
【図６】（ａ）は、表示領域を削除する場合の移動パターンを示す図であり、（ｂ）は、表示領域の表示サイズを拡大する場合の移動パターンを示す図である。
【符号の説明】
【００５０】
１０  パソコン
１５  ディスプレイ
１５ａ  表示領域
１７  タッチパッド
２０  ペン
【図１】
0004925989.tif 000002
【図２】
0004925989.tif 000003
【図３】
0004925989.tif 000004
【図４】
0004925989.tif 000005
【図５】
0004925989.tif 000006
【図６】
0004925989.tif 000007